(57)【要約】      （修正有）【課題】光源装置の放熱効果を効率的に促進させる光源装置を提供する。【解決手段】下ハウジング１２、中ハウジング１４、上ハウジング１６、及びソケット１８を備える。下ハウジングの下表面は発光素子モジュールを載置することができる。中ハウジングは下ハウジングの上に結合することができる。上ハウジングは中ハウジングの上に結合することができ、中ハウジングは下ハウジングと上ハウジングの間にある。ソケットは上ハウジングの外側に嵌める。【選択図】図１Ａ
0003168127.tif 000002
【実用新案登録請求の範囲】
【請求項１】
下表面に発光素子モジュールの載置が可能な下ハウジングと、
前記下ハウジングの上に結合が可能な中ハウジングと、
前記中ハウジングの上に結合が可能な上ハウジングと、
前記中ハウジングが前記下ハウジングと前記上ハウジングの間にあり、
前記上ハウジングの外側に嵌めるソケットと、
を備えることを特徴とする光源装置。
【請求項２】
前記発光素子モジュールは少なくとも１つの発光ダイオード（ＬＥＤ）又は少なくとも１つの有機発光ダイオード（ＯＬＥＤ）を備えることを特徴とする請求項１に記載の光源装置。
【請求項３】
前記下ハウジングは前記発光素子モジュールを固定するための少なくとも１つのネジ孔を備えることを特徴とする請求項１に記載の光源装置。
【請求項４】
前記下ハウジングはその側辺に設けられた少なくとも１つの放熱フィンを備えることを特徴とする請求項１に記載の光源装置。
【請求項５】
前記下ハウジングはその上下の間を貫通する少なくとも１つの導線用の孔を備えることを特徴とする請求項１に記載の光源装置。
【請求項６】
前記下ハウジングは少なくとも１つのエア室を備え、少なくとも１つのエアチャネルにより、前記下ハウジングの側辺に対応する吸気口が前記光源装置の外部と連通することを特徴とする請求項１に記載の光源装置。
【請求項７】
前記下ハウジングの材質はアルミニウム、銅又はセラミックであることを特徴とする請求項１に記載の光源装置。
【請求項８】
前記中ハウジングの下表面に少なくとも１つの孔部を形成すると共に、前記中ハウジングの側辺に少なくとも１つの排気口を形成することにより、前記排気口と前記孔部は前記下ハウジングのエア室と連通することができることを特徴とする請求項6に記載の光源装置。
【請求項９】
前記中ハウジングはその下表面に突出した中空の固定柱を備え、前記中空の固定柱はネジで螺合して前記下ハウジングに固定することを特徴とする請求項１に記載の光源装置。
【請求項１０】
前記中ハウジングは中空の導線用柱を備えることを特徴とする請求項１に記載の光源装置。
【請求項１１】
前記上ハウジングは前記中ハウジングと固定するための少なくとも１つの係止フックを備えることを特徴とする請求項１に記載の光源装置。
【請求項１２】
前記下ハウジングの上周辺に、更に前記中ハウジングとの間を防水（water proof）するための樹脂を備えることを特徴とする請求項１に記載の光源装置。
【請求項１３】
更に前記下ハウジングの下に結合した笠を備えることを特徴とする請求項１に記載の光源装置。
【考案の詳細な説明】
【技術分野】
【０００１】
本考案は、光源装置に関し、より詳しくは、エアチャネルを有する発光ダイオード電球に関する。
【背景技術】
【０００２】
従来の発光ダイオード（ＬＥＤ）は、体積が小さく、反応時間が短く、消費電力が低く、信頼性が高く、大量生産が可能であるといった多くの長所があることから、発光ダイオードが次第に白熱灯や蛍光灯のような従来の発光素子に取って代わりつつある。
【考案の概要】
【考案が解決しようとする課題】
【０００３】
発光ダイオード電球の長所を一層発揮させるには、先ず放熱という課題が解決されねばならない。このため、現在の発光ダイオード電球は電球の側辺に製作した放熱フィンのように様々な放熱構造を使用している。然しながら、前述した従来の技術では、こうした放熱フィンの放熱効率には限界があるといった問題があった。
【０００４】
本考案は、このような従来の問題に鑑みてなされたものである。上記課題解決のため、本考案は、エアチャネルを有し、光源装置における放熱効果の効率的な促進が可能な光源装置を提供することを主目的とする。
【課題を解決するための手段】
【０００５】
上述した課題を解決し、目的を達成するために、本考案に係る光源装置は、下表面に発光素子モジュールの載置が可能な下ハウジングと、前記下ハウジングの上に結合が可能な中ハウジングと、前記中ハウジングの上に結合が可能な上ハウジングであって、前記中ハウジングが前記下ハウジングと前記上ハウジングの間にあるものと、前記上ハウジングの外側に嵌めるソケットとを備えることを特徴とする。
【０００６】
本考案によれば、光源装置は下ハウジング、中ハウジング、上ハウジング、及びソケットを備える。下ハウジングの下表面は発光素子モジュールを載置することができる。中ハウジングは下ハウジングの上に結合することができる。上ハウジングは中ハウジングの上に結合することができ、中ハウジングは下ハウジングと上ハウジングの間にある。ソケットは上ハウジングの外側に嵌める。
【０００７】
本考案によれば、下ハウジングはエア室を備え、エアチャネルにより、下ハウジング側辺に対応する吸気口が光源装置の外部と連通する。また、中ハウジングの下表面に孔部を形成し、側辺に排気口を形成することにより、排気口と孔部は下ハウジングのエア室と連通することができる。この実施形態の特徴により、外部のエアは下ハウジングの吸気口から光源装置内に進入し、中ハウジングの排気口から流出することにより、発光ダイオードが生じる熱を発散させることができる。
【図面の簡単な説明】
【０００８】
【図１Ａ】本考案の実施形態における光源装置の分解図である。
【図１Ｂ】図１を組み合わせた外観図である。
【図１Ｃ】図１を組み合わせた断面図である。
【図２Ａ】図１Ａの断面線２Ａ−２Ａ’方向における下ハウジングの断面図である。
【図２Ｂ】図１Ａの断面線２Ｂ−２Ｂ’方向における下ハウジングの断面図である。
【考案を実施するための形態】
【０００９】
以下、本考案を実施するための形態について、図面に基づいて詳細に説明する。なお、本考案は、以下に説明する実施形態に限定されるものではない。
【００１０】
本考案の実施形態に係る光源装置では、図１Ａは本考案に係る実施形態における光源装置（lighting device）の分解図を、図１Ｂはそれを組み合わせた外観図を、図１Ｃは組み合わせた断面図を示している。
本実施形態は発光ダイオード（ＬＥＤ）電球を例示しているが、本考案では有機発光ダイオード（ＯＬＥＤ）のような他の発光素子の使用も可能である。
【００１１】
光源装置は主に笠１０、下ハウジング１２、中ハウジング１４、上ハウジング１６、及びソケット１８を備える。笠１０は光線を拡散（diffuse）する機能を備えると共に、保護及び防塵の作用も兼備している。なお、本明細書では、光源装置の一般的な使用態樣により方向を定義しており、即ち、ソケット１８が上で、笠１０が下である。
【００１２】
図２Ａと図２Ｂは下ハウジング１２の断面図を示しており、図２Ａは図１Ａの断面線２Ａ−２Ａ’方向の断面視図であり、図２Ｂは図１Ａの断面線２Ｂ−２Ｂ’方向の断面視図である。笠１０は下ハウジング１２の下に結合する。下ハウジング１２の下表面１２０は発光素子モジュール１１（例えば、発光ダイオードモジュール）の載置が可能で、少なくとも１つの一ネジ孔１２１により下ハウジング１２の下表面１２０に固定される。下ハウジング１２の側辺に、発光ダイオードが生じる熱を光源装置の外部へ伝導するための少なくとも１つの放熱フィン１２２を製作する。少なくとも１つの導線用の孔（line hole）１２３は下ハウジング１２の上下の間を貫通するが、発光素子モジュール１１と電源モジュール（これらは中ハウジング１４と上ハウジング１６との間のスペースにある）との間の接続導線を通すためのものである。下ハウジング１２の上側に少なくとも１つのエア室１２４を形成し、少なくとも１つのエアチャネル１２５により、下ハウジング１２の側辺に対応する吸気口１２６が外部と連通する。本実施形態の下ハウジング１２はアルミニウム、銅、セラミック等の熱伝導材質の使用が可能である。
【００１３】
本実施形態では、中ハウジング１４は下ハウジング１２と上ハウジング１６の間に設けられ、主に両者を隔離するためのもので、下ハウジング１２にある発光ダイオードが生じる熱が上ハウジング１６内にある電源モジュールに直接影響しないようにする。また、中ハウジング１４の下表面１４０に少なくとも１つの孔部１４１を形成すると共に、中ハウジング１４の側辺に少なくとも１つの排気口１４２を形成する。このようにして、（下ハウジング１２の）吸気口１２６、（下ハウジング１２の）エアチャネル１２５、（下ハウジング１２の）エア室１２４、（中ハウジング１４の）孔部１４１、及び（中ハウジング１４の）排気口１４２全体でエアチャネルを形成し、外部のエアを吸気口１２６から光源装置内に進入させ、排気口１４２から流出させることにより、発光ダイオードが生じる熱を発散させることができる。本実施形態におけるエアチャネルは下ハウジング１２の放熱フィン１２２と組み合わせて光源装置の放熱効果を促進させる。然しながら、本実施形態におけるエアチャネルは単独での使用も可能で、依然として放熱効果を備えている。
【００１４】
中ハウジング１４は下ハウジング１２の上に結合する。本実施形態では、中ハウジング１４はその下表面１４０に突出した中空の固定柱１４３を備え、ネジで螺合して下ハウジング１２に固定する。本実施形態では中空の固定柱１４３で下ハウジング１２と中ハウジング１４を結合するが、係止フックのように他の方法で結合固定することもできる。また、中ハウジング１４はさらに中空の導線用柱１４４を備え、下ハウジング１２における発光素子モジュール１１と電源モジュールとの間の接続導線を通すための導線用の孔１２３との組み合わせも可能である。本実施形態では中空の導線用柱１４４で接続導線を通すが、中空の導線用柱１４４を省いて、接続導線を中ハウジング１４に直接通すことも可能である。
【００１５】
上ハウジング１６は中ハウジング１４の上に結合する。本実施形態では、上ハウジング１６は少なくとも１つの係止フック１６０により中ハウジング１４と固定することができる。本実施形態における上ハウジング１６はプラスチック又は他の類似した材質での製造が可能である。ソケット１８は金属素材で製造され、上ハウジング１６の外側に嵌めて光源装置の電極とする。
【００１６】
本実施形態の別の特徴により、下ハウジング１２の上周辺に樹脂１２７をつけることができ、結合固定する機能を備える上に、中ハウジング１４との間を防水（water proof）する效果も果たすことができる。
【００１７】
前記実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００１８】
１０    笠
１１    発光素子モジュール
１２    下ハウジング
１２０  （下ハウジング）下表面
１２１  ネジ孔
１２２  放熱フィン
１２３  導線用の孔
１２４  エア室
１２５  エアチャネル
１２６  吸気口
１２７  樹脂
１４    中ハウジング
１４０  （中ハウジング）下表面
１４１  孔部
１４２  排気口
１４３  中空の固定柱
１４４  中空の導線用柱
１６    上ハウジング
１６０  係止フック
１８    ソケット
【図１Ａ】
0003168127.tif 000003
【図１Ｂ】
0003168127.tif 000004
【図１Ｃ】
0003168127.tif 000005
【図２Ａ】
0003168127.tif 000006
【図２Ｂ】
0003168127.tif 000007